(57)【要約】【課題】  自動修正される時刻に対するユーザの誤認を防止する。【解決手段】  所定の受信時刻になったならば、標準電波を受信する（ステップＳ２）。さらに、この受信が成功したか否かを判断し（ステップＳ３）、受信が成功したならば得られた時刻コードが示す時刻に従って、時計計数回路が計数している現在時刻を修正する（ステップＳ４）。次に、この受信が成功した電波が前回受信した電波と異なるか否かを判断する（ステップＳ５）。異なる場合には、今回受信を成功した標準電波を示す情報を記憶する（ステップＳ６）。さらに、受信を成功した標準電波に含まれている時刻コードが示す時刻を現在時刻とする地域を代表する都市名を記憶するともに、当該受信を成功した標準電波の受信日付、時刻とを記憶する（ステップＳ７）。そして、ステップＳ９の表示処理で、現在時刻、修正に使用した電波、都市を表示部に表示させる。【選択図】    図４
2005331303.tif 000002
【特許請求の範囲】
【請求項１】
夫々時刻コードを含む複数種の標準電波を受信可能な受信手段と、
この受信手段で受信された標準電波に含まれる時刻コードに基づいて、時刻情報を修正する時刻修正手段と、
前記受信手段で受信された標準電波の種別に基づいて、受信位置を判別する判別手段と、
この判別手段により判別された前記位置を表示する表示手段と
を備えることを特徴とする時刻データ受信装置。
【請求項２】
前記表示手段は、前記修正手段より修正された時刻情報を前記位置とともに表示することを特徴とする請求項１記載の時刻データ受信装置。
【請求項３】
前記複数種の標準電波夫々に対して予め定められた位置が対応付けられており、
前記判別手段は、前記受信手段が受信した標準電波の種別に対応付けられている位置を前記受信位置と判別することを特徴とする請求項１記載の時刻データ受信装置。
【請求項４】
前記標準電波に対して予め定められた複数の位置が対応付けられており、
前記判別手段は、前記受信手段が受信した標準電波の種別に対応付けられている複数の位置から予め決定された所定の条件に従って１つの位置を、前記受信位置と判別することを特徴とする請求項１記載の時刻データ受信装置。
【請求項５】
前記受信手段が前回受信した標準電波の種別に基づいて前記判別手段が判別した位置と、新たに受信した標準電波の種別に基づいて前記判別手段が判別した位置とが異なった場合に、前記新たに受信した標準電波の種別に基づいて判別した位置とその受信日付とを記憶する記憶手段と、
この記憶手段により記憶された前記位置と日付とを前記表示手段に表示させる表示制御手段と
を更に備えることを特徴とする請求項１記載の時刻データ受信装置。
【請求項６】
夫々時刻コードを含む複数種の標準電波を受信可能な受信手段と、表示手段とを備える時刻データ受信装置が有するコンピュータを、
前記受信手段で受信された標準電波に含まれる時刻コードに基づいて、時刻情報を修正する時刻修正手段と、
前記受信手段で受信された標準電波の種別に基づいて、受信位置を判別する判別手段と、
この判別手段により判別された前記位置を前記表示手段に表示させる表示制御手段と
して機能させることを特徴とする時刻データ受信制御プログラム。
【請求項７】
夫々時刻コードを含む複数種の標準電波を受信可能な受信手段と、表示手段とを備える時刻データ受信装置の制御方法であって、
前記受信手段で受信された標準電波に含まれる時刻コードに基づいて、時刻情報を修正する時刻修正ステップと、
前記受信手段で受信された標準電波の種別に基づいて、受信位置を判別する判別ステップと、
この判別ステップにより判別された前記位置を前記表示手段に表示させる表示制御ステップと
を含むことを特徴とする時刻データ受信装置の制御方法。
【発明の詳細な説明】
【技術分野】
【０００１】
本発明は、時刻データ受信装置、時刻データ受信制御プログラム及び時刻データ受信装置の制御方法に関する。
【背景技術】
【０００２】
今日においては、各国（例えば、ドイツ、イギリス、スイス、日本等）において、時刻コードを含む標準電波が送出されているとともに、このような時刻コードを含む標準電波を受信して、これにより現在時刻データを修正する、いわゆる電波時計が実用化されている。電波時計は、所定時間毎に、内蔵しているアンテナを介して標準電波を受信し、増幅変調して時刻コードを解読することにより現在時刻を修正している。
【０００３】
また、前記標準電波は各国、あるいは当該国の地域ごとに周波数が異なる。そこで、複数種の周波数の標準電波を受信可能とし、電界の最も強い標準電波を自動的に選択して時刻修正に用いることにより、世界中の何処でも当該地域における周波数の標準電波を受信して時刻修正を可能とする電波時計も提案されるに至っている（例えば、特許文献１参照。）。
【特許文献１】特開平５−１４２３６３号公報
【発明の開示】
【発明が解決しようとする課題】
【０００４】
しかしながら、このようにユーザが移動した地域において電界の最も強い標準電波を自動的に選択して時刻修正を行うと、ユーザが時差のある第１の地域から第２の地域に移動した場合、修正されて表示されている時刻が何れの地域の標準電波で自動修正されたものであるかを判断することができない。このため、時差を認識しているユーザが実際に表示されている修正された時刻を視認した際に、ユーザは自己が認識している時差に基づき、時刻を誤認してしまう場合が生ずる。
【０００５】
本発明は、かかる従来の課題に鑑みてなされたものであり、自動修正される時刻に対するユーザの誤認を防止することのできる時刻データ受信装置、時刻データ受信制御プログラム及び時刻データ受信装置の制御方法を提供することを目的とする。
【課題を解決するための手段】
【０００６】
前記課題を解決するため請求項１記載の発明に係る時刻データ受信装置にあっては、夫々時刻コードを含む複数種の標準電波を受信可能な受信手段と、この受信手段で受信された標準電波に含まれる時刻コードに基づいて、時刻情報を修正する時刻修正手段と、前記受信手段で受信された標準電波の種別に基づいて、受信位置を判別する判別手段と、この判別手段により判別された前記位置を表示する表示手段とを備える。
【０００７】
したがって、表示手段には受信した標準電波に基づいて判別された受信位置が表示されることから、ユーザは表示手段に表示された位置を視認することにより、時刻情報が何処で受信された標準電波に含まれている時刻データより修正されたものであるかを認識することができる。
【０００８】
また、請求項２記載の発明に係る時刻データ受信装置にあっては、前記表示手段は、前記修正手段より修正された時刻情報を前記位置とともに表示する。したがって、ユーザが表示手段に表示された時刻情報を視認した際に、自己が認識している時差に基づき、時刻情報を誤認してしまう不都合を未然に防止することができる。
【０００９】
また、請求項３記載の発明に係る時刻データ受信装置にあっては、前記複数種の標準電波夫々に対して予め定められた位置が対応付けられており、前記判別手段は、前記受信手段が受信した標準電波の種別に対応付けられている位置を前記受信位置と判別する。したがって、受信手段により受信された標準電波の種別を判別する容易な判別処理により、受信位置を特定することができる。
【００１０】
また、請求項４記載の発明に係る時刻データ受信装置にあっては、前記標準電波に対して予め定められた複数の位置が対応付けられており、前記判別手段は、前記受信手段が受信した標準電波の種別に対応付けられている複数の位置から予め決定された所定の条件に従って１つの位置を、前記受信位置と判別する。したがって、１つの標準電波に対して複数の位置が対応付けられている場合であっても、１つの受信位置を特定することができる。
【００１１】
また、請求項５記載の発明に係る時刻データ受信装置にあっては、前記受信手段が前回受信した標準電波の種別に基づいて前記判別手段が判別した位置と、新たに受信した標準電波の種別に基づいて前記判別手段が判別した位置とが異なった場合に、前記新たに受信した標準電波の種別に基づいて判別した位置とその受信日付とを記憶する記憶手段と、この記憶手段により記憶された前記位置と日付とを前記表示手段に表示させる表示制御手段とを更に備える。したがって、記憶手段には、ユーザが移動して新たな位置で標準電波を受信する毎に、受信位置とその受信日付とが記憶されていく。よって、この記憶手段に記憶された前記位置と日付とが表示手段に表示され、ユーザがこれを視認することにより、自己の移動履歴を確認することができる。
【００１２】
また、請求項６記載の発明に係る時刻データ受信制御プログラムにあっては、夫々時刻コードを含む複数種の標準電波を受信可能な受信手段と、表示手段とを備える時刻データ受信装置が有するコンピュータを、前記受信手段で受信された標準電波に含まれる時刻コードに基づいて、時刻情報を修正する時刻修正手段と、前記受信手段で受信された標準電波の種別に基づいて、受信位置を判別する判別手段と、この判別手段により判別された前記位置を前記表示手段に表示させる表示制御手段として機能させる。したがって、前記コンピュータがこのプログラムに従って処理を実行することにより、請求項１記載の発明と同様の作用効果を奏する。
【００１３】
また、請求項７記載の発明に係る時刻データ受信装置の制御方法にあっては、夫々時刻コードを含む複数種の標準電波を受信可能な受信手段と、表示手段とを備える時刻データ受信装置の制御方法であって、前記受信手段で受信された標準電波に含まれる時刻コードに基づいて、時刻情報を修正する時刻修正ステップと、前記受信手段で受信された標準電波の種別に基づいて、受信位置を判別する判別ステップと、この判別ステップにより判別された前記位置を前記表示手段に表示させる表示制御ステップとを含む。したがって、記載したステップに従って処理を実行することにより、請求項１記載の発明と同様の作用効果を奏する。
【発明の効果】
【００１４】
本発明によれば、表示手段には受信した標準電波に基づいて判別された受信位置が表示されることから、ユーザは表示手段に表示された位置を視認することにより、時刻情報がどの位置で受信された標準電波に含まれている時刻データより修正されたものであるかを認識することができる。よって、自己が認識している時差に基づき、ユーザが修正された時刻情報を誤認してしまう不都合を未然に防止することができる。
【発明を実施するための最良の形態】
【００１５】
以下、本発明の一実施の形態を図に従って説明する。図１は、本発明の一実施の形態に係る電波時計の回路構成を示すブロック図である。図示のように、この回路はＣＰＵ１を中心にして構成され、ＣＰＵ１は、ＲＯＭ２に格納されているプログラムに基づき動作することにより、各部を制御するものである。ＲＡＭ３は、ＣＰＵ１が動作する際に使用されるワークエリアが設けられているとともに、後述するように各種データを格納する記憶部が設けられている。
【００１６】
アンテナ４は、世界各国において所定の場所に設けられている（当該国において複数の場所に設けられている場合もある）送信所より送出される所定のフォーマットの時刻コードを振幅変調した送信所毎に異なる周波数からなる長波標準電波を受信し、これに対応する電気信号にして受信回路５に送出する回路部である。受信回路５は、ＣＰＵ１からの指示に従って、アンテナ４からの前記電気信号から送信所毎に異なる特定周波数のものを選択して受信し、その信号から時刻コードを得てＣＰＵ１に送出する。
【００１７】
発振回路６は、常時一定周波数のクロック信号を送出している回路部である。分周回路７は発振回路６からのクロック信号を計数して計数値が１秒に対応する値になる都度、１秒信号を時計計数回路８に送出するとともに、ＣＰＵ１からのプリセット信号を受けると計数値が所定値にセットされる回路部である。時計計数回路８は、分周回路７からの前記１秒信号を計数して、現在時刻データすなわち現在の日付データ、現在の曜日データ、現在の時データ、現在の分データ、現在の秒データを得て、これをＣＰＵ１に与えるとともに、ＣＰＵ１からの時刻データで、計数している現在時刻データを修正する回路である。
【００１８】
スイッチ部９は、後述するフローチャートにおいて示すように、モード切換スイッチ、電波選択スイッチ、都市選択スイッチ、受信要否選択スイッチ、読出スイッチ、モード設定スイッチ、及び他のスイッチで構成され、各スイッチの操作信号がＣＰＵ１に送出される。表示部１０は、ＣＰＵ１からのデータすなわち時計計数回路８による現在時刻や、時刻修正に使用した電波、都市等を表示する。
【００１９】
前記ＲＡＭ３には、前記ワークエリアとともに、図２（Ａ）に示す受信制御情報記憶部３１と、同図（Ｂ）に示す受信結果情報記憶部３２とが設けられている。受信制御情報記憶部３１は、領域３１１、３１２、３１３、３１４で構成され、領域３１１には前記世界各国に設けられている送信所から送信される標準電波を示す情報（標準電波の周波数情報）が「標準電波種別」として予め記憶されている。領域３１２には、標準電波種別毎に「１」で当該標準電波の受信要を示し、「０」で受信否を示すデータが後述する処理により記憶される。領域３１３には、当該標準電波に含まれている時刻コードが示す時刻を現在時刻とする地域を代表する都市名が後述する処理により記憶される。領域３１４には当該標準電波に含まれている時刻コードが示す時刻と日本時刻との時差が後述する処理により記憶される。
【００２０】
また、受信結果情報記憶部３２は、領域３２１、３２２、３２３で構成される。そして、領域３２１には受信を成功した標準電波を示す情報が記憶され、領域３２２には当該受信を成功した標準電波の受信日付、時刻とが記憶される。また、領域３２３には、前記受信制御情報記憶部３１の領域３１４に記憶されている、受信を成功した標準電波に含まれている時刻コードが示す時刻を現在時刻とする地域を代表する都市名又は国名が記憶される。
【００２１】
ＲＯＭ２には、複数種の標準電波夫々に対応して選択可能な都市（標準電波を受信可能な複数の都市）と、その都市の時刻と標準電波に含まれる時刻との時差と、を記憶する図３の時差テーブル２０１が記憶されている。図３は、アメリカの標準電波の場合を示し、コロラド州から送信される標準電波に含まれる時刻コードの時刻はグリニッチ標準時刻であり、しかも、アメリカ本土は、太平洋部、山部、中部及び東部の４つの地域で標準時が異なっている（時差が１時間づつある）ので、アメリカ標準電波に対しては、ロサンゼルス（ＬＡＸ）、デンバー（ＤＥＮ）、シカゴ（ＣＨＩ）、ニューヨーク（ＮＹＣ）等の都市と、グリニッジ時刻に対する時差とが記憶されている。無論、標準電波に含まれる時刻コードの時刻が、その都市の標準時刻である都市（例えば、日本の場合）に関しては、時差０時間が記憶されている。
【００２２】
以上の構成に係る本実施の形態において、ＣＰＵ１はＲＯＭ２に格納されているプログラムに基づき、図４のフローチャートに示す処理を繰り返し実行する。すなわち、時計計数回路８から与えられた現在時刻データに基づき、所定の受信時刻になったか否かを判断する（ステップＳ１）。そして、受信時刻になっていなければステップＳ８に進み、後述するステップＳ８及びＳ９の処理を実行する。また、所定の受信時刻になったならば、受信回路５を制御して前回受信を成功した標準電波を受信させる（ステップＳ２）。さらに、この受信により時刻コードが得られたか否かに基づき受信が成功したか否かを判断し（ステップＳ３）、受信が成功したならば得られた時刻コードが示す時刻に従って、時計計数回路８が計数している現在時刻を修正する（ステップＳ４）。
【００２３】
次に、この受信が成功した電波が前回受信した電波と異なるか否かを判断する（ステップＳ５）。このとき、前記ステップＳ３の判断で受信が成功している場合には、今回受信が成功した電波と前回受信した電波とは同一の送信所から送信されている同一の標準電波であることから、ステップＳ５の判断はＮＯとなり、ステップＳ６及びＳ７の処理を行うことなく、ステップＳ８に進む。
【００２４】
しかし、ステップＳ３での判断の結果、前回受信を成功した標準電波の受信が今回は不成功であった場合には、前記受信制御情報記憶部３１の領域３１２において、「１」が記憶されている受信要の標準電波の中で、未受信の電波があるか否かを判断する（ステップＳ１０）。未受信の電波がある場合には、受信回路５を制御して、今回受信が不成功であった標準電波（前回受信を成功した標準電波）以外の未受信の標準電波を受信させる（ステップＳ１１）。さらに、この受信により時刻コードが得られたか否かに基づきこの受信が成功したか否かを判断する（ステップＳ１２）。
【００２５】
そして、受信が成功したならば、前述と同様に得られた時刻コードが示す時刻に従って、時計計数回路８が計数している現在時刻を修正する（ステップＳ４）。また、前述と同様に、この受信が成功した電波が前回受信した電波と異なるか否かを判断する（ステップＳ５）。このとき、前記ステップＳ１２の判断で受信が成功している場合には、今回受信が成功した電波と前回受信した電波とは異なる送信所から送信されている異なる標準電波であることから、ステップＳ５の判断はＹＥＳとなる。
【００２６】
よって、ステップＳ５からステップＳ６に進み、前記受信結果情報記憶部３２の領域３２１に今回受信を成功した標準電波を示す情報を記憶させる（ステップＳ６）。さらに、受信結果情報記憶部３２の領域３２３に、受信を成功した標準電波に含まれている時刻コードが示す時刻を現在時刻とする地域を代表する都市名（又は国名）を記憶するともに、領域３２２に、当該受信を成功した標準電波の受信日付、時刻とを記憶する（ステップＳ７）。
【００２７】
他方、ステップＳ１２での判断の結果、受信が不成功であった場合には、ステップＳ１０からの処理を繰り返す。そして、前記受信制御情報記憶部３１の領域３１２において、「１」が記憶されている受信要の標準電波の受信が全て不成功であった場合には、ステップＳ１０の判断がＮＯとなる。よって、この場合には時刻修正を行うことなく、ステップＳ１０からステップＳ８に進み、ステップＳ８のスイッチ処理及びステップＳ９の表示処理を行ってステップＳ１からの処理を繰り返す。
【００２８】
前記スイッチ処理（ステップＳ８）は、図５に示すフローチャートに従って実行される。先ず、前記スイッチ部９に設けられているモード切換スイッチの操作が検出されたか否かを判断する（ステップＳ８０１）。モード切換スイッチの操作が検出された場合には、操作される毎に通常モード→設定モード→読出モード→通常モードとモード切換を行う（ステップＳ８０２）。
【００２９】
また、モード切換スイッチの操作が検出されない場合には、設定モードの状態にあるか否かを判断する（ステップＳ８０３）。設定モードの状態にある場合には、電波選択スイッチの操作が検出されたか否かを判断し（ステップＳ８０４）、電波選択スイッチの操作が検出された場合には、検出される毎に受信可能電波をサイクリックに選択する（ステップＳ８０５）。つまり、電波選択スイッチが操作される毎に、受信制御情報記憶部３１の領域３１１に記憶されている標準電波を示す情報を、日本標準電波６０Ｈｚ→日本標準電波４０Ｈｚ→ドイツ標準電波→・・・と選択する。
【００３０】
また、電波選択スイッチの操作が検出されない場合には、都市選択スイッチの操作が検出されたか否かを判断する（ステップＳ８０６）。都市選択スイッチの操作が検出された場合には、選択されている標準電波に対応する複数の都市をサイクリックに選択する（ステップＳ８０７）。つまり、例えば標準電波として「アメリカ標準電波」が選択されているとすると、これに対応する複数の都市は図３の時差テーブル２０１に記憶されているように、ＬＡＸ（ロサンゼルス）、ＤＥＮ（デンバー）、ＣＨＩ（シカゴ）、ＮＹＣ（ニューヨーク）であることから、これらの都市のいずれかを都市選択スイッチの操作に応じて選択する。そして、最終的に選択された都市、時差を受信制御情報記憶部３１の領域３１３、３１４に記憶させる。
【００３１】
したがって、電波選択スイッチの操作により標準電波として「アメリカ標準電波」が選択された後、都市選択スイッチの操作によりＮＹＣ（ニューヨーク）が選択されたとすると、図３（Ａ）に示したように、領域３１１の「アメリカ標準電波」に対応して、領域３１３に都市「ＮＹＣ」が記憶されるとともに、領域３１４に時差「−５」が記憶されることとなる。なお、電波選択スイッチの操作により標準電波として「日本標準電波６０Ｈｚ」が選択された場合、あるいは「日本標準電波４０Ｈｚ」が選択された場合には、都市選択スイッチの操作が行われなくても、「日本標準電波６０Ｈｚ」に対応して、領域３１３に都市「大阪」が記憶されるとともに領域３１４に時差「０」が記憶され、あるいは「日本標準電波４０Ｈｚ」に対応して、領域３１３に都市「日本」が記憶されるとともに領域３１４に時差「０」が記憶される。
【００３２】
また、都市選択スイッチの操作が検出されない場合には、受信要否指定スイッチの操作が検出されたか否かを判断する（ステップＳ８０９）。受信要否指定スイッチの操作が検出されない場合には、他のスイッチ処理を実行する。受信要否指定スイッチの操作が検出された場合には、選択された標準電波に受信要否を反転させる（ステップＳ８１０）。したがって、標準電波として「日本標準電波６０Ｈｚ」、又は「日本標準電波４０Ｈｚ」あるいは「アメリカ標準電波」が選択されている状態で、受信要否指定スイッチの操作の操作を行うことにより、図２（Ａ）に示したように、受信制御情報記憶部３１における「日本標準電波６０Ｈｚ」、「日本標準電波４０Ｈｚ」、「アメリカ標準電波」に対応する領域３１２を受信要である「１」にすることができる。
【００３３】
また、前記ステップＳ８０３で設定モードの状態にないと判断された場合には、読出モードの状態にあるか否かを判断する（ステップＳ８１１）。読出モードの状態にある場合には、読出スイッチの操作が検出されたか否かを判断し、検出されない場合には他のスイッチ処理を実行する。また、読出スイッチの操作が検出された場合には、移動履歴データを１ずつ切換表示する（ステップＳ８１３）。
【００３４】
すなわち、受信結果情報記憶部３２の対応する領域３２１、３２２、３２３に記憶されている受信を成功した標準電波、受信日付、時刻及び都市を一つのデータとして、この一つのデータを表示部１０に切換表示する。したがって、ユーザはこの表示部１０に切換表示されるデータを視認することにより、自己の移動履歴を確認することができる。
【００３５】
なお、ステップＳ８１１での判断の結果、読出モードでない場合には通常モードであるので、所定の通常モード処理を実行する。
【００３６】
一方、前記表示処理（ステップＳ９）は、図６に示すフローチャートに従って実行される。先ず、前記通常モードの状態にあるか否かを判断する（ステップＳ９０１）。通常モードの状態にある場合には、現在時刻、修正に使用した電波、都市を表示部１０に表示させる（ステップＳ９０２）。したがって、例えば図２に示した受信制御情報記憶部３１の記憶内容が設定されているこの電波時計のユーザが、当該電波時計を携帯して成田からニューヨークに移動した場合、アメリカ標準電波を未だ受信していない場合には、表示部１０に日本時刻（現在時刻）とともに、「日本標準電波４０Ｈｚ」「日本」が表示される。また、既にアメリカ標準電波を受信した場合には、表示部１０にニューヨーク時刻（現在時刻）とともに、「アメリカ標準電波」「ＮＹＣ」が表示されることとなる。
【００３７】
したがって、ユーザが時差のある日本からニューヨークに移動した場合、表示されている時刻が何れの地域の標準電波で自動修正されたものであるかを判断することができる。よって、ユーザが表示部１０に表示されている修正された時刻を視認した際に、自己が認識している時差（−５時間）に基づき、時刻を誤認してしまうことはない。
【００３８】
また、ステップＳ９０１での判断の結果、通常モードの状態にない場合には、設定モードに切り換えられているか否かを判断する（ステップＳ９０３）。設定モードに切り換えられて場合には、前記図５のフローチャートにおけるステップＳ８０５で選択された標準電波、ステップＳ８１０で選択された受信要否、ステップＳ８０７で選択された都市及び対応する時差を表示部１０に表示させる（ステップＳ９０３）。したがって、ユーザはこれら表示部１０に表示される事項を視認しつつ設定モードにて設定を行うことができる。
【００３９】
また、ステップＳ９０３での判断の結果、設定モードでもない場合には、読出モードに切り換えられた状態にある。この場合には、受信結果情報記憶部３２の対応する領域３２１、３２２、３２３に記憶されている受信を成功した標準電波、受信日付、時刻及び都市を一つのデータとして、いずれか一つのデータを表示部１０に表示する（ステップＳ９０５）。この状態で、前述した図５のフローチャートにおけるステップＳ８１２で読出スイッチの操作が検出されると、ステップＳ８１３で前述のように切替表示がなされることとなる。
【００４０】
なお、本実施の形態においては、本発明を電波時計単体に適用した場合を示したが、これに限ることなく時刻データ受信機能を備えた各種携帯機器に本発明を適用することが可能である。
【図面の簡単な説明】
【００４１】
【図１】本発明の一実施の形態を示すブロック回路図である。
【図２】（Ａ）はＲＡＭに設けられた受信制御情報記憶部の概念図、（Ｂ）は受信結果情報記憶部の概念図である。
【図３】ＲＯＭに設けられた時差テーブルの概念図である。
【図４】ＣＰＵの処理手順を示すフローチャートである。
【図５】スイッチ処理の詳細を示すフローチャートである。
【図６】表示処理の詳細を示すフローチャートである。
【符号の説明】
【００４２】
１    ＣＰＵ
２    ＲＯＭ
３    ＲＡＭ
４    アンテナ
５    受信回路
６    発振回路
７    分周回路
８    時計計数回路
９    スイッチ部
１０    表示部
【図１】
2005331303.tif 000003
【図２】
2005331303.tif 000004
【図３】
2005331303.tif 000005
【図４】
2005331303.tif 000006
【図５】
2005331303.tif 000007
【図６】
2005331303.tif 000008